(57)【要約】【課題】発光素子が発光する光を枠体の内面で良好に反射させて外部に均一に効率よく放射でき、また光の放射角度や光強度分布等の光学的特性に優れかつ安定した発光装置を作製できるものとすること。【解決手段】発光素子収納用パッケージは、上面の中央部に発光素子５を搭載する搭載部２ａを有するセラミックスから成る基体２と、基体２の上面の外周部に搭載部２ａを取り囲んで接合され、内面が外側に向かって広がるように傾斜した金属から成る第１の枠体４と、第１の枠体４の上面に接合されたセラミックスから成る第２の枠体６とを具備している。【選択図】  図１
2004228239.tif 000002
【特許請求の範囲】
【請求項１】
上面の中央部に発光素子を搭載する搭載部導体層を有するセラミックスから成る基体と、該基体の上面の外周部に前記搭載部導体層を取り囲んで接合され、内面が外側に向かって広がるように傾斜した金属から成る第１の枠体と、該第１の枠体の上面に接合されたセラミックスから成る第２の枠体とを具備したことを特徴とする発光素子収納用パッケージ。
【請求項２】
請求項１記載の発光素子収納用パッケージと、前記搭載部導体層に搭載された発光素子と、前記第１の枠体の内側または前記第２の枠体の上方の前記発光素子の光軸上に設置された透光性部材とを具備したことを特徴とする発光装置。
【発明の詳細な説明】
【０００１】
【発明の属する技術分野】
本発明は、発光素子を収容するための発光素子収納用パッケージおよび発光装置に関する。
【０００２】
【従来の技術】
従来、発光ダイオード（ＬＥＤ），半導体レーザ（ＬＤ）等の発光素子を用いた発光装置は、今後さらなる低消費電力化や長寿命化がすすむものとして注目されており、近年種々の分野で使用され始めている。従来の発光素子を搭載する発光素子収納用パッケージ（以下、パッケージともいう）の断面図を図２に示す。
【０００３】
図２に示すように、従来のパッケージ１１は、各種樹脂やセラミックス等から成る基体１２を有する。基体１２には、タングステン（Ｗ）やモリブデン（Ｍｏ）、マンガン（Ｍｎ）等を含む導体ペーストを高温で焼結し、その上面にメッキ法によりニッケル（Ｎｉ）メッキ層や金（Ａｕ）メッキ層を被着して成る配線導体１３が形成されている。この配線導体１３を介して、外部からパッケージ内部に搭載された発光素子１５に電力や駆動電流が供給できるように接続されている。
【０００４】
また基体１２は、パッケージ１１内部側の一方の主面に、各種樹脂やセラミックスから成る、上下面を貫通する貫通孔を有する平面視形状が正方形状の枠体１４が設けられており、基体１２に７００〜９００℃の融点を有する銀（Ａｇ）−銅（Ｃｕ）等のロウ材、各種樹脂接着剤、高融点ガラス（低融点ガラス）等により固定される。
【０００５】
発光素子１５は基体１２にＡｇペーストや樹脂接着剤から成る接着剤でダイボンドされており、発光素子１５の電極は基体１２に設けられた配線導体１３とＡｕ製のボンディングワイヤによりワイヤボンディングされる。
【０００６】
また、発光素子１５を保護するために枠体１４の内側に透明部材１８が設けられる。この透明部材１８は、枠体１４の内側に発光素子１５を覆うように熱硬化性のエポキシ樹脂などを充填し加熱硬化させることにより設けることができる。透明部材１８は、発光素子１５や基体１２、枠体１４と強固に密着して発光素子１５をパッケージ１１内に強固に固定する働きも有する。さらに、枠体１４の上面にガラス，サファイア等から成る透光性で板状の蓋体１７が樹脂接着剤等で接着される。これにより、発光素子１５を有する発光装置となる。
【０００７】
この発光装置は、外部電気回路から供給される駆動電流によって発光素子１５が起動され、可視光を発光するものとして使用される。その用途は、各種インジケーター，光センサー，ディスプレイ，ホトカプラ，バックライト，光プリンタヘッド等である。
【０００８】
近年、この発光装置を照明用として使用するようになってきており、高輝度および放熱性の点でより高特性の発光装置が要求されている。また、照明用に使用される場合、発光装置の長寿命化が特に重要な問題である。
【０００９】
そこで、最近は発光装置の発光輝度を向上させる構成が考えられており、枠体１４をより反射率の高い材料で構成することが多い。例えば、枠体１４を銀（Ａｇ）やアルミニウム（Ａｌ）からなる反射率の高い金属で形成したり、それらの金属を枠体１４の表面に被着させて、発光素子１５から発光される光を効率よくパッケージ１１の外部へ放射させることが提案されている。
【００１０】
【特許文献１】
特開２００２−３４４０２９号公報
【００１１】
【発明が解決しようとする課題】
しかしながら、上記従来のパッケージ１１では、発光素子１５から出る熱によりパッケージ１１に歪みが発生し、発光素子１５で発光した光の放射角度を安定化させることが困難となるという問題点があった。これは、例えば基体１２が樹脂やセラミックスから成り、枠体１３が金属から成ることで、基体１２と枠体１４との熱膨張係数の違いにより発生するものである。したがって、従来のパッケージ１１では、高輝度化には十分に対応できるが、高輝度化するために発光素子１５に入力されるパワー（電力）を上げると、発光素子１５から出る熱により安定した光の放射角度、光強度分布等が得られないといった新たな問題点がでている。今後、局部照明等の用途に使用される場合には、光の放射角度は重要な問題である。このような光の放射角度や光強度分布等の光学的特性に優れかつ安定した発光装置が求められている。
【００１２】
したがって、本発明はかかる従来の問題点に鑑みて完成されたものであり、その目的は、発光素子が発光する光を枠体の内面で良好に反射させて外部に均一に効率よく放射でき、また光の放射角度や光強度分布等の光学的特性に優れかつ安定した発光装置を作製できるパッケージおよび発光装置を提供することにある。
【００１３】
【課題を解決するための手段】
本発明の発光素子収納用パッケージは、上面の中央部に発光素子を搭載する搭載部導体層を有するセラミックスから成る基体と、該基体の上面の外周部に前記搭載部を取り囲んで接合され、内面が外側に向かって広がるように傾斜した金属から成る第１の枠体と、該第１の枠体の上面に接合されたセラミックスから成る第２の枠体とを具備したことを特徴とする。
【００１４】
本発明の発光素子収納用パッケージは、基体の上面の外周部に搭載部導体層を取り囲んで接合され、内面が外側に向かって広がるように傾斜した金属から成る第１の枠体を有していることから、発光素子から出る光を発光素子収納用パッケージ外に８０％以上反射させることができ、高輝度の発光装置を作製することができる。また、セラミックスからなる第２の枠体を有していることから、セラミックスから成る基体と金属から成る第１の枠体との熱膨張係数差によって、第１の枠体が変形するのを抑えることができ、光の放射角度や光強度分布等の光学的特性が優れているとともに安定している発光装置を作製することが可能となる。
【００１５】
本発明の発光装置は、本発明の発光素子収納用パッケージと、前記搭載部導体層に搭載された発光素子と、前記第１の枠体の内側または前記第２の枠体の上方の前記発光素子の光軸上に設置された透光性部材とを具備したことを特徴とする。
【００１６】
本発明の発光装置は、上記の構成により、輝度、光の放射角度および光強度分布等の光学的特性が優れているとともに安定している、高性能で高信頼性のものとなる。
【００１７】
【発明の実施の形態】
本発明の発光素子収納用パッケージについて以下に詳細に説明する。図１は、本発明のパッケージについて実施の形態の一例を示す断面図であり、２は基体、４は第１の枠体、６は第２の枠体であり、主としてこれらで発光素子５を収容するためのパッケージ１が構成されている。
【００１８】
本発明のパッケージは、上面の中央部に発光素子５を搭載する搭載部２ａを有するセラミックスから成る基体２と、基体２の上面の外周部に搭載部２ａを取り囲んで接合され、内面が外側に向かって広がるように傾斜した金属から成る第１の枠体４と、第１の枠体４の上面に接合されたセラミックスから成る第２の枠体６とを具備している。
【００１９】
本発明における基体２は、例えば酸化アルミニウム質焼結体（アルミナセラミックス）や窒化アルミニウム質焼結体，ムライト質焼結体，ガラスセラミックス等のセラミックスから成る四角形状の平板であり、発光素子５を支持するための支持部材として機能し、その上面に発光素子５を搭載するための搭載部２ａを有している。
【００２０】
また、基体２は、搭載部２ａおよびその周囲から下面にかけて導出されるメタライズ層から成る配線導体３が被着されている。配線導体３はＷ，Ｍｏ，Ｃｕ，Ａｇ等の金属粉末のメタライズ層から成り、パッケージ１内部に収容された発光素子５を外部に電気的に接続するための導電路として機能する。そして、搭載部２ａにはＬＥＤ，ＬＤ等の発光素子５がＡｕ−Ｓｉ（シリコン）合金やＡｇ−エポキシ樹脂等の導電性接合材で固着されるとともに、搭載部２ａ周囲の配線導体３には発光素子５の電極がボンディングワイヤを介して電気的に接続される。
【００２１】
なお、配線導体３の露出する表面にＮｉやＡｕ等の耐食性に優れる金属を１〜２０μｍ程度の厚みに被着させておくのがよく、配線導体３が酸化腐食するのを有効に防止することができるとともに、配線導体３と発光素子５との接続および配線導体３とボンディングワイヤとの接続を強固にすることができる。したがって、配線導体３の露出表面には、厚さ１〜１０μｍ程度のＮｉメッキ層と厚さ０．１〜３μｍ程度のＡｕメッキ層とが電解メッキ法や無電解メッキ法により順次被着されていることがより好ましい。
【００２２】
さらに、基体２の熱伝導率は１０Ｗ／ｍ・Ｋ以上が好ましく、１０Ｗ／ｍ・Ｋ以下では、５０ｍＡ以上の駆動電流を発光素子５に入力した際に発光素子５の表面温度が１００℃以上に達し、発光素子５の寿命を劣化させるばかりではなく、発光素子５の光出力を上げられなくなる。
【００２３】
金属から成る第１の枠体４は銀（Ａｇ），Ａｌ，Ｐｔ等から成るのがよく、これらの金属は、発光素子５から出る光をパッケージ外に８０％以上の反射率で反射させることができ、高輝度の発光装置を作製することができる。また、第１の枠体４がＦｅ−Ｎｉ合金やＦｅ−Ｎｉ−Ｃｏ合金等から成り、その表面にＡｇ，Ａｌ，Ｐｔ等の高反射率の金属層を形成してもよい。
【００２４】
この第１の枠体４は、基体２に２５０℃以上の融点で溶融するガラスフリットで接合されるか、熱硬化性のエポキシ樹脂、シリコーン樹脂等の樹脂接着剤で接合される。また第１の枠体４は、その中央部に発光素子５を収容するための横断面形状が円形状や四角形状の貫通穴４ａを有しており、貫通穴４ａ内に発光素子５が収容されるとともに搭載部２ａに搭載される。
【００２５】
また、第１の枠体４の貫通穴４ａの内面は、その算術平均粗さＲａが０．００４〜４μｍであることがよく、これにより、第１の枠体４の内面が発光素子５の発光する光を良好に反射させることとなる。Ｒａが４μｍを超えると、貫通穴４ａ内に収容された発光素子５が発光する光を均一に反射させるのが困難となり、反射する光の強さに偏りが発生しやすくなる。０．００４μｍ未満であると、そのような面を安定かつ効率よく形成することが困難となる傾向にある。
【００２６】
さらに貫通穴４ａの内面に厚さ１〜１０μｍ程度のＮｉメッキ層と厚さ０．１〜３μｍ程度のＡｕメッキ層とが電解メッキ法や無電解メッキ法により順次被着されていることがよく、第１の枠体４の耐腐食性が向上する。
【００２７】
また、貫通穴４ａはその横断面形状が円形状であるのがよく、貫通穴４ａ内に収容された発光素子５が発光する光を貫通穴４ａの内面で万遍なく反射させて外部に極めて均一に放射することができる。
【００２８】
本発明のパッケージ１においては、第１の枠体４の上面にセラミックスから成る第２の枠体６が接合されており、この第２の枠体６は、例えば基体２と実質的に同じ組成のセラミックスからなるのがよい。すなわち、第２の枠体６は基体２と同じ熱膨張係数の材料から成ることがよい。この場合、セラミックスから成る基体２と金属から成る第１の枠体４との熱膨張係数差によって、第１の枠体４が変形するのを抑えることができ、光の放射角度や光強度分布等の光学的特性が優れているとともに安定している発光装置を作製することができる。
【００２９】
発光装置は、使用環境（温度等）によって光の広がり角度（放射角度）の範囲に差はあるが、１０度以下に抑えることがよい。１０度以下とするには、基体２と第２の枠体６との熱膨張係数の差は５×１０−６／℃以下であるのがよい。光の放射角度は、光ビームの光軸に直交する断面での断面形状が円形状であれば、あらゆる断面で一定であり、光ビームの光軸に直交する断面での断面形状が楕円形状等の偏った形状であれば、最大値である。
【００３０】
また、基体２および第２の枠体６と第１の枠体４との熱膨張係数の差は２０×１０−６／℃以下がよく、２０×１０−６／℃を超えると、第１の枠体４が変形しやすくなる。
【００３１】
そして、第２の枠体６は、第１の枠体４の上面に２５０℃以上の融点で溶融するガラスフリットで接合されるか、熱硬化性のエポキシ樹脂、シリコーン樹脂等から成る樹脂接着剤で接合される。この第２の枠体６は、その中央部に発光素子５を収容するための横断面形状が円形状や四角形状の貫通穴６ａを有している。
【００３２】
また、第２の枠体６は基体２よりも厚いことがよい。すなわち、第１の枠体４と基体２との接合面積が、第１の枠体４と第２の枠体６との接合面積よりも大きいうえ、第２の枠体６よりも基体２の方が面積が大きいことから、第１の枠体４は基体２の熱膨張の影響を受けて変形し易くなっている。したがって、第２の枠体６の厚さを基体２よりも厚くすることによって、第１の枠体４の上部および下部における熱膨張の影響を同じに近づけて、第１の枠体４の変形をより抑えることができる。
【００３３】
さらに、第２の枠体６は内面にＡｇ，Ａｌ，Ｐｔ等の高反射率の金属層をめっき法等で被着されていてもよい。この場合、第２の枠体６の内面で発光素子５の光を効率的に反射させてさらに高輝度の発光装置と成すことができる。
【００３４】
かくして、本発明のパッケージ１は、基体２の搭載部２ａに発光素子５を搭載するとともに発光素子５の電極と基体２の配線導体３とをボンディングワイヤを介して電気的に接続し、しかる後、第１の枠体４の内側または第２の枠体６の上方の発光素子５の光軸上に透光性部材を設置することによって発光装置となる。透光性部材は、発光素子５を覆うシリコーン樹脂等の透明樹脂であってもよく、第２の枠体６の上面に樹脂接着剤等で接着された、ガラス，サファイア等から成る平板状，レンズ状の透光性の蓋体７であってもよい。
【００３５】
なお、本発明は上記の実施の形態に限定されるものではなく、本発明の要旨を逸脱しない範囲内で種々の変更を行うことは何等支障ない。
【００３６】
【発明の効果】
本発明の発光素子収納用パッケージは、基体の上面の外周部に搭載部導体層を取り囲んで接合され、内面が外側に向かって広がるように傾斜した金属から成る第１の枠体を有していることから、発光素子から出る光を発光素子収納用パッケージ外に８０％以上反射させることができ、高輝度の発光装置を作製することができる。また、セラミックスからなる第２の枠体を有していることから、セラミックスから成る基体と金属から成る第１の枠体との熱膨張係数差によって、第１の枠体が変形するのを抑えることができ、光の放射角度や光強度分布等の光学的特性が優れているとともに安定している発光装置を作製することが可能となる。
【００３７】
本発明の発光装置は、本発明の発光素子収納用パッケージと、搭載部導体層に搭載された発光素子と、第１の枠体の内側または第２の枠体の上方の発光素子の光軸上に設置された透光性部材とを具備したことにより、輝度、光の放射角度および光強度分布等の光学的特性が優れているとともに安定している、高性能で高信頼性のものとなる。
【図面の簡単な説明】
【図１】本発明の発光素子収納用パッケージについて実施の形態の一例を示す断面図である。
【図２】従来の発光素子収納用パッケージの断面図である。
【符号の説明】
１：発光素子収納用パッケージ
２：基体
２ａ：搭載部導体層
４：第１の枠体
５：発光素子
６：第２の枠体
７：蓋体
【図１】
2004228239.tif 000003
【図２】
2004228239.tif 000004